(57)【要約】【課題】ＤＳＴＮ型の液晶表示装置において、表示部の見映えと表示部の周囲である周辺部の見映えの双方をよくする。【解決手段】表示用セル１１において、周辺部２８のセルギャップの値が表示部２９のセルギャップの値と同じになるように、周辺部２８において透明層２５が設けられる。また、表示部２９におけるΔｎｄ比（表示用セルのΔｎ・ｄ／光学補償用セルのΔｎ・ｄ）が１よりも大きくなり、かつ、周辺部２８におけるΔｎｄ比が１になるように、光学補償用セル３１における表示部２９に相当する部分に透明層４３が設けられる。また、表示用セル１１における液晶素子のΔｎと光学補償用セル３１における液晶素子のΔｎとは等しい。【選択図】図１
2008008987.tif 000002
【特許請求の範囲】
【請求項１】
表示用セルと光学補償用部材とを備え、表示部と表示部の周囲である周辺部とが視認可能に構成されているＳＴＮ型の液晶表示装置において、
表示部におけるリタデーション比（表示用セルのΔｎ・ｄ／光学補償用部材のΔｎ・ｄ）は、周辺部におけるリタデーション比よりも大きな値に設定されている
ことを特徴とする液晶表示装置。
【請求項２】
表示部におけるリタデーション比は１よりも大きく設定され、かつ、周辺部におけるリタデーション比は１に設定されている
請求項１記載の液晶表示装置。
【請求項３】
光学補償用部材として光学補償用セルを備え、
表示用セルにおける周辺部のセルギャップ幅が表示用セルにおける表示部のセルギャップ幅と同じになるように、表示用セルにおける周辺部に透明層が設けられ、
光学補償用セルにおける表示部に相当する部分に透明層が設けられている
請求項１または請求項２記載の液晶表示装置。
【請求項４】
表示用セルにおける周辺部のセルギャップ幅が表示用セルにおける表示部のセルギャップ幅よりも小さくなるように、表示用セルにおける周辺部に透明層が設けられている
請求項１または請求項２記載の液晶表示装置。
【発明の詳細な説明】
【技術分野】
【０００１】
本発明は、ＳＴＮ型の液晶表示装置に関し、特に、光学補償用部材を備えた液晶表示装置に関する。
【背景技術】
【０００２】
液晶表示装置として、液晶分子のねじれ角を例えば１８０〜２７０°にしたＳＴＮ（Super Twisted Nematic ）型液晶表示素子（表示用セル）を用いたＳＴＮ型の液晶表示装置がある。液晶分子のねじれ角を大きくすると、コントラスト等の表示品質が向上するが、液晶分子の複屈折作用によって着色が生ずる。
【０００３】
着色をなくして白黒表示を実現するために、表示用セルと一方の偏光板との間に光学補償用の液晶セル（光学補償用セル）が設けられたＤＳＴＮ（Double Super Twisted Nematic ）型の液晶表示装置がある（例えば、特許文献１参照。）。光学補償用セルにおいて、液晶分子のねじれ方向は、表示用セルにおける液晶分子のねじれ方向と逆であり、光学補償用セルのリタデーション（Δｎ・ｄ）の値と表示用セルのリタデーションの値とは近接している。Δｎは液晶素子の屈折率異方性であり、ｄはセルギャップ（液晶層の厚さ）の値（セルギャップ幅）である。また、表示用セルと光学補償用セルとが最接近している（例えば、接していること。）部分において、表示用セルにおける液晶分子の配向方向と光学補償用セルにおける液晶分子の配向方向とは９０°の角度をなす。光学補償用セルは、表示用セルによる旋光分散を解消することによって着色を解消する。
【０００４】
液晶表示装置において、本来の表示部（走査電極および信号電極が配置され、表示に寄与する画素が存在する部分）の他に、表示部の周囲の周辺部も、液晶表示装置の使用者が視認可能な領域になるように構成されることがある。そのように構成された液晶表示装置では、表示部の見映え（遮光度）と周辺部の見映えとは同じではない。例えば、ノーマリブラック（ネガ型）のＤＳＴＮ型の液晶表示装置において、全黒表示が行われているときに、表示部は良好な黒表示を呈するのに対して、周辺部は、やや明るく見えてしまう。
【０００５】
その原因の一つは、表示部には透明電極の配線が施されているのに対して、周辺部には、透明電極の配線が施されていない部分が存在することである。つまり、表示部のセルギャップに対して周辺部のセルギャップの方が広くなるので、表示部のリタデーションに対して周辺部のリタデーションが大きくなって、表示部と周辺部の見映えが異なってしまう。
【０００６】
なお、表示部のセルギャップの値と周辺部のセルギャップの値とをできるだけ同じにするために、周辺部に、通電されないダミー電極を形成する技術が知られている（例えば、特許文献２参照。）。
【０００７】
また、ＤＳＴＮ型の液晶表示装置では、後述するように、光学補償用セルのリタデーションも、表示部と周辺部の見映えの差に影響を与えている。
【０００８】
【特許文献１】特開平７−２９４９４１号公報（段落０００２、図２）
【特許文献２】特開２００４−２５８５２２号公報（段落００１１、図２）
【発明の開示】
【発明が解決しようとする課題】
【０００９】
ＤＳＴＮ型の液晶表示装置において表示部の見映えと周辺部の見映えとが異なる理由を、より詳しく説明する。図３（Ａ）は、一般的なＤＳＴＮ型の液晶表示装置を示す断面図であり、図３（Ｂ）は、ＤＳＴＮ型の液晶表示装置を示す正面図である。なお、図３（Ａ）において、偏光板等は記載省略されている。
【００１０】
図３に例示する構成では、表示用セル１３において、上側ガラス基板２１の下部に、走査電極と信号電極とのうちの一方になる透明電極２３が形成され、下側ガラス基板２２の上部に、走査電極と信号電極とのうちの他方になる透明電極２４が形成されている。表示部２９には、全域に亘って透明電極２３と透明電極２４とが形成されている。しかし、周辺部２８では、透明電極２３と透明電極２４とのうちの少なくとも一方は形成されていない。なお、図３（Ｂ）の平面図において、表示部２９の下部には、引出配線部５１が存在することが示されている。
【００１１】
本明細書では、表示部２９は、視認される平面だけを意味するのではなく、深さ方向すなわち光透過方向に亘る部分までも含み、周辺部２８も、平面だけを意味するのではなく、深さ方向に亘る部分までも含むとする。ただし、光学補償用セルに関して、表示部（深さ方向に亘る部分を含む。）を、表示部に相当する部分ということがある。
【００１２】
表示用セル１３において、上側ガラス基板２１と下側ガラス基板２２との間には、周辺部２８を囲むようにシール材（図示せず）が形成され、シール材の内部に液晶素子が封入されている。液晶分子のねじれ角は９０°よりも大きく設定される。具体的には、例えば１８０〜２７０°程度である。
【００１３】
表示用セル１３に密着するように設置されている光学補償用セル３３において、上側ガラス基板４１と下側ガラス基板４２との間にはシール材（図示せず）が形成され、シール材の内部に液晶素子が封入されている。液晶分子のねじれ角は、表示用セル１３における液晶分子のねじれ角と等しく、ねじれ方向は、表示用セル１３における液晶分子のねじれ方向とは逆である。
【００１４】
図３（Ａ）に示すように、透明電極２３の厚さをαとする。表示用セル１３における表示部２９のセルギャップの値をｄ1 とする。周辺部２８において透明電極が設けられていないので、周辺部２８のセルギャップの値はｄ1 ＋αである。また、光学補償用セル３３のセルギャップの値は、全域に亘ってｄ2 であるとする。
【００１５】
図４は、特許文献２に記載されているようなダミー電極２７が形成されたＤＳＴＮ型の液晶表示装置を示す断面図である。図４に示す液晶表示装置の構成は、図３に示された液晶表示装置に対して、周辺部２８にダミー電極２７が付加された構成に相当する。なお、ダミー電極２７は、表示部２９に本来の透明電極を形成するときに同時に形成され、周辺部２８の全域に亘って形成されている。図４に示す構成では、表示用セル１４における周辺部２８のセルギャップの値は、表示部２９のセルギャップの値と同じｄ1 である。また、光学補償用セル３４のセルギャップの値は、全域に亘ってｄ2 である。
【００１６】
図５〜図７は、液晶表示装置の光の透過特性を示す説明図である。図５〜図７において、横軸は表示用セルへの印加電圧を示し、縦軸は透過率を示す。以下、［表示用セルのリタデーション（Δｎ・ｄ）／光学補償用セルのリタデーション（Δｎ・ｄ）］を、リタデーション比（Δｎｄ比）という。
【００１７】
図５は、Δｎｄ比＜１の場合の透過特性を示す説明図である。図６は、Δｎｄ比＝１の場合の透過特性を示す説明図である。図７は、Δｎｄ比＞１の場合の透過特性を示す説明図である。また、ＯＦＦ時（黒表示時）には、０Ｖではない所定のＯＦＦ電圧が表示用セルに印加され、ＯＮ時（白表示時）には、ＯＦＦ電圧よりも高い所定のＯＮ電圧が表示用セルに印加される。ただし、電圧が印加されるのは表示部２９であり、周辺部２８には、常に電圧が印加されない。すなわち、電圧無印加状態（０Ｖが印加されている状態）である。
【００１８】
Δｎｄ比＞１にすれば、図７に示すように、ＯＦＦ時の透過率は十分低く、表示部２９の見映えは良好である。しかし、電圧無印加状態での透過率が比較的高く、周辺部２８の見映えはよくない。つまり、光抜けが生じて、明るく視認されてしまう。
【００１９】
Δｎｄ比＝１にすれば、図６に示すように、電圧無印加状態での透過率は十分低く、周辺部２８の見映えは良好である。しかし、ＯＦＦ時の透過率が比較的高く、表示部２９の見映えはよくない。一般には、表示部２９の見映えをよくするために、Δｎｄ比＞１に設定される。
【００２０】
Δｎｄ比＜１にした場合には、図５に示すように、ＯＦＦ時の透過率が比較的高く、表示部２９の見映えはよくない。また、電圧無印加状態での透過率が比較的高く、周辺部２８の見映えはよくない。
【００２１】
図３に示された構成では、表示部２９の見映えをよくするために、ｄ1 ＞ｄ2 に設定される。すなわち、表示部２９では、Δｎｄ比＝（Δｎ・ｄ1 ）／（Δｎ・ｄ2）＞１であり、表示部２９の見映えは良好である（図７参照）。しかし、周辺部２８では、Δｎｄ比＝（Δｎ・（ｄ1 ＋α））／（Δｎ・ｄ2）＞１であり、周辺部２８の見映えはよくない（図７参照）。なお、表示用セル１３における液晶素子のΔｎと光学補償用セル３３における液晶素子のΔｎとは等しいとする。
【００２２】
図３に示された構成を、図４に示すように改善した場合を考える。ｄ1 ＞ｄ2 に設定されているとする。表示部２９では、図３に示された場合と同様に、見映えは良好である。周辺部２８では、Δｎｄ比＝（Δｎ・ｄ1 ）／（Δｎ・ｄ2）＞１である。そのΔｎｄ比は、図３に示された構成におけるΔｎｄ比よりも１に近いものの、１よりも大きい値であるから、やはり周辺部２８の見映えはよくない（図７参照）。
【００２３】
以上に説明したように、ＳＴＮ型の液晶表示装置において、表示部２９の見映えをよくしようとすると、周辺部２８の見映えが悪くなり、表示部２９の見映えと周辺部２８の見映えの双方をよくすることは困難であるという課題がある。
【００２４】
そこで、本発明は、ＳＴＮ型の液晶表示装置において、表示部の見映えと周辺部の見映えの双方をよくすることによって、使用者に視認される全ての領域の見映えをよくすることができる液晶表示装置を提供することを目的とする。
【課題を解決するための手段】
【００２５】
本発明による液晶表示装置は、表示用セルと光学補償用部材とを備え、表示部におけるリタデーション比（表示用セルのΔｎ・ｄ／光学補償用部材のΔｎ・ｄ）は、周辺部におけるリタデーション比よりも大きな値に設定されていることを特徴とする。
【００２６】
表示部におけるリタデーション比は１よりも大きく設定され、かつ、周辺部におけるリタデーション比は１に設定されていることが好ましい。
【００２７】
本発明による液晶表示装置の好ましい一態様では、光学補償用部材として光学補償用セルを備え、表示用セルにおける周辺部のセルギャップ幅が表示用セルにおける表示部のセルギャップ幅と同じになるように、表示用セルにおける周辺部に透明層が設けられ、光学補償用セルにおける表示部に相当する部分に透明層が設けられている。
【００２８】
本発明による液晶表示装置の好ましい他の態様では、表示用セルにおける周辺部のセルギャップ幅が表示用セルにおける表示部のセルギャップ幅よりも小さくなるように、表示用セルにおける周辺部に透明層が設けられている。
【発明の効果】
【００２９】
本発明によれば、ＳＴＮ型の液晶表示装置において、表示部の見映えと周辺部の見映えの双方をよくすることによって、使用者に視認される全ての領域の見映えをよくすることができる。
【発明を実施するための最良の形態】
【００３０】
以下、本発明の実施の形態を図面を参照して説明する。
【００３１】
（実施の形態１）
図１は、本発明による液晶表示装置の第１の実施の形態を示す断面図である。
図１に示すように、表示用セル１１において、上側ガラス基板２１の下部に、走査電極と信号電極とのうちの一方になる透明電極２３が形成され、下側ガラス基板２２の上部に、走査電極と信号電極とのうちの他方になる透明電極２４が形成されている。表示部２９には、全域に亘って透明電極２３と透明電極２４とが形成されている。周辺部２８では、透明電極２３と透明電極２４とのうちの少なくとも一方は形成されていない。しかし、周辺部２８では、上側ガラス基板２１の下部に、透明層２５が形成されている。なお、透明層２５は、周辺部２８の全域に亘って形成されている。
【００３２】
透明層２５は、例えば、透明な合成樹脂が上側ガラス基板２１に貼り合わせられることによって形成される。また、透明層２５の厚さは、透明電極２３の厚さと同じである。透明層２５の厚さと透明電極２３の厚さとは全く等しいことが好ましいが、製造誤差等に起因して、ややずれることがある。ここでは、「同じ」には、そのようなずれが生じている場合も含まれるとする。
【００３３】
表示用セル１１において、上側ガラス基板２１と下側ガラス基板２２との間には、周辺部２８を囲むようにシール材（図示せず）が形成され、シール材の内部に液晶素子が封入されている。液晶分子のねじれ角は９０°よりも大きく設定される。具体的には、例えば１８０〜２７０°程度である。
【００３４】
表示用セル１１に密着するように設置されている光学補償用セル３１において、上側ガラス基板４１と下側ガラス基板４２との間にはシール材（図示せず）が形成され、シール材の内部に液晶素子が封入されている。液晶分子のねじれ角は、表示用セル１１における液晶分子のねじれ角と等しく、ねじれ方向は、表示用セル１１における液晶分子のねじれ方向とは逆である。なお、この実施の形態では、表示用セル１１における液晶素子のΔｎと光学補償用セル３１における液晶素子のΔｎとは等しい。
【００３５】
光学補償用セル３１において、上側ガラス基板４１における表示部２９の下部には、透明層４３が形成されている。透明層４３は、例えば、透明な合成樹脂が上側ガラス基板４１に貼り合わせられることによって形成される。また、光学補償用セル３１において、液晶分子のねじれ方向は、表示用セル１１における液晶分子のねじれ方向と逆である。また、表示用セル１１と光学補償用セル３１とが最接近している（例えば、接していること。）部分において、表示用セル１１における液晶分子の配向方向と光学補償用セル３１における液晶分子の配向方向とは９０°の角度をなす。
【００３６】
なお、表示用セル１１の上側に一方の偏光板（図示せず）が設けられ、光学補償用セル３１の下側に他方の偏光板（図示せず）が設けられる。双方の偏光板の偏光方向は直交している。
【００３７】
図１に示す構成では、表示用セル１１における周辺部２８のセルギャップの値は、表示部２９のセルギャップの値と同じである。セルギャップの値をｄ1 とする。そして、透明層４３が形成されていないと仮定した場合の光学補償用セル３１のセルギャップの値をｄ1 に設定する。また、透明層４３の厚さは（ｄ1 −ｄ2 ）である。よって、光学補償用セル３１における周辺部２８のセルギャップの値はｄ1 であり、表示部２９のセルギャップの値はｄ2 である。
【００３８】
図１に示すように構成された液晶表示装置では、ｄ1 ＞ｄ2 であるから、表示部２９において、Δｎｄ比は１よりも大きい。よって、図７に示されたように、ＯＦＦ時の透過率は十分低く、表示部２９の見映えは良好である。また、周辺部２８において、Δｎｄ比＝１である。よって、図６に示すように、電圧無印加状態での透過率は十分低く、周辺部２８の見映えは良好である。すなわち、周辺部２８の透過率がＯＦＦ時の表示部２９の透過率に近くなって、周辺部２８の見映えは、ＯＦＦ時の表示部２９の見映えと同程度になる。なお、周辺部２８におけるΔｎｄ比は全く１に等しいことが好ましいが、製造誤差等に起因して厳密には１からずれることがある。ここでは、「Δｎｄ比が１」であるということは、製造誤差等に起因するずれが生じている場合も含むとする。
【００３９】
この実施の形態では、表示部２９におけるΔｎｄ比を１よりも大きくし、かつ、周辺部２８におけるΔｎｄ比を１にする。具体的には、表示用セル１１において、周辺部２８のセルギャップの値が表示部２９のセルギャップの値と同じになるように、周辺部２８において透明層２５が設けられる。また、表示部２９におけるΔｎｄ比が１よりも大きくなり、かつ、周辺部２８におけるΔｎｄ比が１になるように、光学補償用セル３１における表示部２９に相当する部分に透明層４３が設けられる。
【００４０】
そのように構成することによって、表示部２９の見映えと周辺部２８の見映えの双方をよくすることができる。すなわち、ノーマリブラックのＤＳＴＮ型の液晶表示装置において、ＯＦＦ時（黒表示時）の表示部２９と周辺部２８とが、同程度の暗さで、しかも、十分暗く使用者に視認される。よって、ＯＦＦ時に、使用者に違和感を与えるようなことが防止される。
【００４１】
なお、表示用セル１１における透明層２５は、表示用セル１１におけるセルギャップの値を全域に亘って均一にするためのセルギャップ調整用部材としての役割も果たす。また、透明層２５は、図４に示されたようなダミー電極であってもよい。ただし、透明層２５を導電性の材料で形成した場合には透明層２５に電荷が蓄積される等の事象が生ずるので、透明層２５は合成樹脂で形成される方が好ましい。また、この実施の形態では、透明層４３は、光学補償用セル３１における上側ガラス基板４１に形成されたが、下側ガラス基板４２に形成されていてもよい。
【００４２】
（実施の形態２）
図２は、本発明による液晶表示装置の第２の実施の形態を示す断面図である。
図２に示すように、表示用セル１２において、上側ガラス基板２１の下部に、走査電極と信号電極とのうちの一方になる透明電極２３が形成され、下側ガラス基板２２の上部に、走査電極と信号電極とのうちの他方になる透明電極２４が形成されている。表示部２９には、全域に亘って透明電極２３と透明電極２４とが形成されている。周辺部２８では、透明電極２３と透明電極２４とのうちの少なくとも一方は形成されていない。しかし、周辺部２８では、上側ガラス基板２１の下部に、透明層２６が形成されている。透明層２６は、例えば、透明な合成樹脂が上側ガラス基板２１に貼り合わせられることによって形成される。また、透明層２６の厚さは、透明電極２３の厚さよりも大きい。
【００４３】
表示用セル１２において、上側ガラス基板２１と下側ガラス基板２２との間には、周辺部２８を囲むようにシール材（図示せず）が形成され、シール材の内部に液晶素子が封入されている。液晶分子のねじれ角は９０°よりも大きく設定される。具体的には、例えば１８０〜２７０°程度である。
【００４４】
表示用セル１２に密着するように設置されている光学補償用セル３２において、上側ガラス基板４１と下側ガラス基板４２との間にはシール材（図示せず）が形成され、シール材の内部に液晶素子が封入されている。液晶分子のねじれ角は、表示用セル１２における液晶分子のねじれ角と等しく、ねじれ方向は、表示用セル１２における液晶分子のねじれ方向とは逆である。なお、この実施の形態では、表示用セル１２における液晶素子のΔｎと光学補償用セル３２における液晶素子のΔｎとは等しい。
【００４５】
なお、表示用セル１２の上側に一方の偏光板（図示せず）が設けられ、光学補償用セル３２の下側に他方の偏光板（図示せず）が設けられる。双方の偏光板の偏光方向は直交している。
【００４６】
図２に示す構成において、表示用セル１２における表示部２９のセルギャップの値をｄ1 とする。また、透明層２６の厚さは（ｄ1 −ｄ2 ）である。よって、表示用セル１２における周辺部２８のセルギャップの値はｄ2 である。
【００４７】
光学補償用セル３２における周辺部２８のセルギャップの値は、表示部２９のセルギャップの値と同じである。セルギャップの値を、表示用セル１２における周辺部２８のセルギャップの値と同じ値、すなわちｄ２ に設定する。
【００４８】
図２に示すように構成された液晶表示装置では、ｄ1 ＞ｄ2 であるから、表示部２９において、Δｎｄ比は１よりも大きい。よって、図７に示されたように、ＯＦＦ時の透過率は十分低く、表示部２９の見映えは良好である。また、周辺部２８において、Δｎｄ比＝１である。よって、図６に示すように、電圧無印加状態での透過率は十分低く、周辺部２８の見映えは良好である。すなわち、周辺部２８の透過率がＯＦＦ時の表示部２９の透過率に近くなって、周辺部２８の見映えは、ＯＦＦ時の表示部２９の見映えと同程度になる。
【００４９】
この実施の形態でも、第１の実施の形態の場合と同様に、表示部２９におけるΔｎｄ比を１よりも大きくし、かつ、周辺部２８におけるΔｎｄ比を１にする。具体的には、表示用セル１２において、周辺部２８のセルギャップの値が表示部２９のセルギャップの値よりも小さくなるように、かつ、周辺部２８のセルギャップの値が光学補償用セル３２のセルギャップの値と同じになるように、周辺部２８において透明層２６が設けられる。
【００５０】
そのように構成することによって、表示部２９の見映えと周辺部２８の見映えの双方をよくすることができる。すなわち、ノーマリブラックのＤＳＴＮ型の液晶表示装置において、ＯＦＦ時（黒表示時）の表示部２９と周辺部２８とが、同程度の暗さで使用者に視認される。よって、ＯＦＦ時に、使用者に違和感を与えるようなことが防止される。
【００５１】
第１の実施の形態では、表示用セル１１と光学補償用セル３１の双方に透明層２５，４３が設けられていたが、この実施の形態では、表示用セル１２においてのみ透明層２６が設けられている。表示用セル１１と光学補償用セル３１の双方に透明層２５，４３が設けられている場合には、透明層２５，４３の貼り合わせ精度等に起因して表示品位が劣化する可能性が残るが、この実施の形態では、そのような可能性はない。
【００５２】
なお、表示用セル１１，１２のリタデーションと光学補償用セル３１，３２のリタデーションとを近接させたい等の理由から、表示部２９におけるΔｎｄ比を、１．０００＜Δｎｄ比＜１．０５０程度にすることが好ましく、周辺部２８におけるΔｎｄ比を、０．９８５＜Δｎｄ比＜１．０１５程度にすることが好ましい。ただし、それらの範囲の数値を用いる場合、表示部２９におけるΔｎｄ比は、周辺部２８におけるΔｎｄ比よりも大きいことが条件である。
【００５３】
また、第２の実施の形態において、光学補償用部材として、光学補償用セル３２に代えて、光学補償用の高分子フィルム（位相差フィルム）を用いてもよい。光学補償用部材として位相差フィルムを用いた場合でも、表示部２９におけるΔｎｄ比を１よりも大きくし、かつ、周辺部２８におけるΔｎｄ比を１にするような厚さの透明層２６を、表示用セル１２の周辺部２８に設けることによって、表示部２９の見映えと周辺部２８の見映えの双方をよくすることができる。
【００５４】
また、上記の各実施の形態では、セルギャップの値を調整することによって、すなわち所望のセルギャップの値の関係が成立するように、表示用セル１１，１２および光学補償用セル３１，３２を形成したが、Δｎとセルギャップの値との双方を調整することによって、表示部２９におけるΔｎｄ比を１よりも大きくし、かつ、周辺部２８におけるΔｎｄ比を１にするようにしてもよい。
【実施例】
【００５５】
（実施例１）
図１に示された第１の実施の形態の液晶表示装置において、表示用セル１１を、Δｎが約０．１４で、ねじれ角が２４０°のＳＴＮ液晶素子が封入され、ｄ1 ＝６．０μｍの表示用セル１１とし、光学補償用セル３１を、厚さが約０．２μｍの透明層４３が形成され、ねじれ角が２４０°でねじれ方向が表示用セル１１におけるＳＴＮ液晶素子のねじれ方向とは逆のＳＴＮ液晶素子が封入された光学補償用セル３１とした。ｄ2 は約５．８μｍである。また、光学補償用セル３１におけるＳＴＮ液晶素子のΔｎを、表示用セル１１におけるＳＴＮ液晶素子のΔｎと同じにした。
【００５６】
また、表示用セル１１と光学補償用セル３１とが接している部分において、表示用セル１１における液晶分子の配向方向と光学補償用セル３１における液晶分子の配向方向とが直交するようにした。さらに、表示用セル１１の上側に一方の偏光板を貼り合わせ、光学補償用セル３１の下側に他方の偏光板を貼り合わせ、双方の偏光板の偏光方向が直交するようにした。そして、白色バックライトを組み込んだ。
【００５７】
そのような液晶表示装置を、１／６５のデューティ比、１／７バイアスで線順次駆動した。目視検査したところ、表示部２９と周辺部２８の見映えは良好であった。なお、表示部２９のΔｎｄ比は１．０３４であり、周辺部２８のΔｎｄ比は１．０００である。
【００５８】
（実施例２）
図２に示された第２の実施の形態の液晶表示装置において、表示用セル１２を、Δｎが約０．１４で、ねじれ角が２４０°のＳＴＮ液晶素子が封入され、ｄ1 ＝６．０μｍで、周辺部２８に厚さが約０．２μｍの透明層２６が形成された表示用セル１２とし、光学補償用セル３２を、ねじれ角が２４０°でねじれ方向が表示用セル１２におけるＳＴＮ液晶素子のねじれ方向とは逆のＳＴＮ液晶素子が封入され、ｄ2 が５．８μｍである光学補償用セル３２とした。また、光学補償用セル３２におけるＳＴＮ液晶素子のΔｎを、表示用セル１２におけるＳＴＮ液晶素子のΔｎと同じにした。
【００５９】
また、表示用セル１２と光学補償用セル３２とが接している部分において、表示用セル１２における液晶分子の配向方向と光学補償用セル３２における液晶分子の配向方向とが直交するようにした。さらに、表示用セル１２の上側に一方の偏光板を貼り合わせ、光学補償用セル３２の下側に他方の偏光板を貼り合わせ、双方の偏光板の偏光方向が直交するようにした。そして、白色バックライトを組み込んだ。
【００６０】
そのような液晶表示装置を、１／６５のデューティ比、１／７バイアスで線順次駆動した。目視検査したところ、表示部２９と周辺部２８の見映えは良好であった。なお、表示部２９のΔｎｄ比は１．０３４であり、周辺部２８のΔｎｄ比は１．０００である。
【００６１】
（比較例１）
図３に示された液晶表示装置において、第１の実施例の場合と同様に、ｄ1 ＝６．０μｍとし、ｄ2 ＝５．８μｍとした。第１の実施例の場合と同様に駆動して目視検査したところ、周辺部２９の見映えは良好ではなかった。なお、透明電極２３，２４の厚さを０．１００μｍとした。また、表示部２９のΔｎｄ比は１．０３４であり、周辺部２８のΔｎｄ比は１．０５２である。
【００６２】
（比較例２）
図４に示された液晶表示装置において、第１の実施例の場合と同様に、ｄ1 ＝６．０μｍとし、ｄ2 ＝５．８μｍとした。第１の実施例の場合と同様に駆動して目視検査したところ、周辺部２９の見映えは良好ではなかった。なお、表示部２９のΔｎｄ比は１．０３４であり、周辺部２８のΔｎｄ比は１．０３４である。
【産業上の利用可能性】
【００６３】
本発明は、ネガ型のＳＴＮ型液晶表示装置において、ＯＦＦ時の表示品位を向上させるために好適に適用される。
【図面の簡単な説明】
【００６４】
【図１】液晶表示装置の第１の実施の形態を示す断面図。
【図２】液晶表示装置の第２の実施の形態を示す断面図。
【図３】一般的なＤＳＴＮ型の液晶表示装置を示す断面図および正面図。
【図４】ダミー電極が形成されたＤＳＴＮ型の液晶表示装置を示す断面図。
【図５】液晶表示装置の光の透過特性を示す説明図。
【図６】液晶表示装置の光の透過特性を示す説明図。
【図７】液晶表示装置の光の透過特性を示す説明図。
【符号の説明】
【００６５】
１１，１２  表示用セル
２１  上側基板
２２  下側基板
２３，２４  透明電極
２５，２６  透明層
３１，３２  光学補償用セル
４１  上側基板
４２  下側基板
４３  透明層
【図１】
2008008987.tif 000003
【図２】
2008008987.tif 000004
【図３】
2008008987.tif 000005
【図４】
2008008987.tif 000006
【図５】
2008008987.tif 000007
【図６】
2008008987.tif 000008
【図７】
2008008987.tif 000009